(57)【要約】  本発明の実施形態は、眼科用レンズ用に効果的な青色阻止を行い、同時に美容上魅力的な製品、使用者にとって正常なまたは許容できる色知覚、および良好な視力のための高レベルの透過光を与える眼科用システムに関する。
2009530687.tif 000002
【特許請求の範囲】
【請求項１】
色平衡化構成要素よりも後ろに青色阻止構成要素を含む眼科用システム。
【請求項２】
前記青色阻止構成要素が眼科用構成要素である、請求項１に記載の眼科用システム。
【請求項３】
前記眼科用構成要素がレンズ、ウェハ、または光学プリフォームのうちの１つである、請求項２に記載の眼科用システム。
【請求項４】
前記色平衡化構成要素が眼科用構成要素である、請求項１に記載の眼科用システム。
【請求項５】
前記眼科用構成要素がレンズ、ウェハ、または光学プリフォームのうちの１つである、請求項４に記載の眼科用システム。
【請求項６】
前記色平衡化構成要素が表面キャスト層である、請求項２に記載の眼科用システム。
【請求項７】
前記青色阻止構成要素が表面キャスト層である、請求項４に記載の眼科用システム。
【請求項８】
前記色平衡化構成要素が、他の点では透明またはほとんど透明な眼科用レンズの一部である、請求項１に記載の眼科用システム。
【請求項９】
前記青色阻止構成要素が、他の点では透明またはほとんど透明な眼科用レンズの一部である、請求項１に記載の眼科用システム。
【請求項１０】
前記青色阻止構成要素および前記色平衡化構成要素が共に眼科用レンズである、請求項１に記載の眼科用システム。
【請求項１１】
前記色平衡化構成要素が反射防止被覆である、請求項１に記載の眼科用システム。
【請求項１２】
前記青色阻止構成要素および前記色平衡化構成要素が、眼科用構成要素の上のまたはそれに隣接する別個の層である、請求項１に記載の眼科用システム。
【請求項１３】
前記青色阻止構成要素および前記色平衡化構成要素が、前記眼科用構成要素の前部表面の上にあるかまたはそれに隣接する、請求項１２に記載の眼科用システム。
【請求項１４】
前記青色阻止構成要素および前記色平衡化構成要素が、前記眼科用構成要素の後部表面の上にあるかまたはそれに隣接する、請求項１２に記載の眼科用システム。
【請求項１５】
前記青色阻止構成要素および前記色平衡化構成要素が、それぞれ前記眼科用構成要素の後部表面および前記眼科用構成要素の前部表面の上にあるかまたはそれに隣接する、請求項１２に記載の眼科用システム。
【請求項１６】
前記青色阻止構成要素がルゲートフィルタを含む、請求項１に記載の眼科用システム。
【請求項１７】
前記青色阻止構成要素が干渉フィルタを含む、請求項１に記載の眼科用システム。
【請求項１８】
前記青色阻止構成要素がバンドパスフィルタを含む、請求項１に記載の眼科用システム。
【請求項１９】
前記青色阻止構成要素がバンドブロックフィルタを含む、請求項１に記載の眼科用システム。
【請求項２０】
前記青色阻止構成要素がノッチフィルタを含む、請求項１に記載の眼科用システム。
【請求項２１】
前記青色阻止構成要素がダイクロイックフィルタを含む、請求項１に記載の眼科用システム。
【請求項２２】
約４４０ｎｍから約４６０ｎｍまでの波長の電磁スペクトルを少なくとも１０％だけ減衰させる、請求項１に記載の眼科用システム。
【請求項２３】
約４４０ｎｍから約４６０ｎｍまでの波長の前記電磁スペクトルを少なくとも２０％だけ減衰させる、請求項１に記載の眼科用システム。
【請求項２４】
約４４０ｎｍから約４６０ｎｍまでの波長の前記電磁スペクトルを少なくとも３０％だけ減衰させる、請求項１に記載の眼科用システム。
【請求項２５】
約４４０ｎｍから約４６０ｎｍまでの波長の前記電磁スペクトルを少なくとも４０％だけ減衰させる、請求項１に記載の眼科用システム。
【請求項２６】
約４４０ｎｍから約４６０ｎｍまでの波長の前記電磁スペクトルを少なくとも５０％だけ減衰させる、請求項１に記載の眼科用システム。
【請求項２７】
約４４０ｎｍから約４６０ｎｍまでの波長の前記電磁スペクトルを少なくとも６０％だけ減衰させる、請求項１に記載の眼科用システム。
【請求項２８】
約４４０ｎｍから約４６０ｎｍまでの波長の前記電磁スペクトルを少なくとも７０％だけ減衰させる、請求項１に記載の眼科用システム。
【請求項２９】
約４４０ｎｍから約４６０ｎｍまでの波長の前記電磁スペクトルを少なくとも８０％だけ減衰させる、請求項１に記載の眼科用システム。
【請求項３０】
約４４０ｎｍから約４６０ｎｍまでの波長の前記電磁スペクトルを少なくとも９０％だけ減衰させる、請求項１に記載の眼科用システム。
【請求項３１】
約４４０ｎｍから約４６０ｎｍまでの波長の前記電磁スペクトルを少なくとも９５％だけ減衰させる、請求項１に記載の眼科用システム。
【請求項３２】
約４４０ｎｍから約４６０ｎｍまでの波長の前記電磁スペクトルを少なくとも９９％だけ減衰させる、請求項１に記載の眼科用システム。
【請求項３３】
約４４０ｎｍから約４６０ｎｍまでの波長の前記電磁スペクトルを実質的に１００％減衰させる、請求項１に記載の眼科用システム。
【請求項３４】
青色光スペクトルの外の電磁スペクトルの波長の少なくとも８５％を透過する、請求項１に記載の眼科用システム。
【請求項３５】
前記青色光スペクトルの外の電磁スペクトルの波長の少なくとも９５％を透過する、請求項１に記載の眼科用システム。
【請求項３６】
ＵＶＡおよびＵＶＢスペクトルバンドの紫外線放射を阻止する、請求項１に記載の眼科用システム。
【請求項３７】
７００ｎｍを超える波長をもつ紫外線放射を阻止する、請求項１に記載の眼科用システム。
【請求項３８】
反射防止構成要素をさらに含む、請求項１に記載の眼科用システム。
【請求項３９】
眼科用システムを含むアイウェアの物品であって、前記眼科用システムが、
約４００ｎｍと約５００ｎｍとの間の電磁スペクトルの波長を阻止するための青色阻止構成要素であって、眼科用レンズの上の、またはその近くの、またはそれに隣接する眼科用レンズもしくは層の一方である青色阻止構成要素と、
眼科用レンズの上の、またはその近くの、またはそれに隣接する眼科用レンズもしくは層の一方である色平衡化構成要素と
を含み、
前記色平衡化構成要素が前記眼科用システムを透明またはほとんど透明に見せるように構成され、
前記青色阻止構成要素が前記色平衡化構成要素よりも後ろにあり、
前記眼科用システムが約４００ｎｍと約５００ｎｍとの間の外の電磁スペクトルの波長の少なくとも８５％を透過するアイウェアの物品。
【請求項４０】
少なくとも８５％以上の可視光線の透過を有する眼科用レンズであって、色平衡化構成要素を含み、青色光スペクトル中の選択された波長を阻止する眼科用レンズ。
【請求項４１】
前記色平衡化構成要素がいくらかの緑色の波長および赤色の波長を反射する、請求項４０に記載の眼科用レンズ。
【請求項４２】
前記選択された波長が着色剤によって阻止される、請求項４０に記載の眼科用レンズ。
【請求項４３】
前記選択された波長がルゲートフィルタによって阻止される、請求項４０に記載の眼科用レンズ。
【請求項４４】
前記選択された波長が干渉フィルタによって阻止される、請求項４０に記載の眼科用レンズ。
【請求項４５】
前記選択された波長がバンドパスフィルタによって阻止される、請求項４０に記載の眼科用レンズ。
【請求項４６】
前記選択された波長がバンドブロックフィルタによって阻止される、請求項４０に記載の眼科用レンズ。
【請求項４７】
前記選択された波長がノッチフィルタによって阻止される、請求項４０に記載の眼科用レンズ。
【請求項４８】
前記選択された波長がダイクロイックフィルタによって阻止される、請求項４０に記載の眼科用レンズ。
【請求項４９】
前記選択された波長が多層誘電体スタックによって阻止される、請求項４０に記載の眼科用レンズ。
【請求項５０】
青色光波長を阻止し、さらにレンズを色平衡化するためにいくらかの緑色の波長および赤色の波長を反射するレンズ。
【請求項５１】
前記色平衡化が、前記レンズの青色を中和する、請求項５０に記載のレンズ。
【発明の詳細な説明】
【技術分野】
【０００１】
本発明は眼科用システムに関する。より詳細には、本発明は、眼科用レンズにおいて青色光波長の阻止（以下「青色阻止」）を行い、同時に美容上魅力的な製品を提供する眼科用システムに関する。ここで使用される「眼科用システム」は、以下でさらに詳細に説明される所望の機能を与えるために他の構成要素とともに使用され、およびそれとともに扱われ、またはそれとともに処理され、またはそれと組み合わされる処方箋でまたは処方箋なしで購入できる眼科用レンズ、例えば、眼鏡（ｇｌａｓｓｅｓ）（または眼鏡（ｓｐｅｃｔａｃｌｅ））、サングラス、コンタクトレンズ、眼内レンズ、または角膜レンズを含む。
【背景技術】
【０００２】
現在の研究は、約４００ｎｍ〜５００ｎｍ（ナノメートル、すなわち１０−９メートル）の波長を有する短波長可視光線（青色光）がＡＭＤ（加齢黄斑変性症）の最大の原因であり得るという前提を強く支持している。最高レベルの青色光の吸収は４５０ｎｍまたはその近くで生じると考えられる。研究は、青色光が、遺伝、タバコの煙、および過度のアルコール摂取などのＡＭＤの他の原因因子を悪化させることをさらに示唆している。
【０００３】
光は波で伝わる電磁放射で構成される。電磁スペクトルは電波、ミリメートル波、マイクロ波、赤外線、可視光線、紫外線（ＵＶＡおよびＵＶＢ）、ならびにＸ線およびγ線を含む。人間の網膜は、電磁スペクトルのうちの可視光線部分にのみ応答する。可視光線スペクトルは、約７００ｎｍの最長可視光線波長と約４００ｎｍの最短可視光線波長とを含む。青色光波長は、４００ｎｍから５００ｎｍの概略の範囲に入る。紫外線バンドでは、ＵＶＢ波長は２９０ｎｍから３２０ｎｍまでであり、ＵＶＡ波長は３２０ｎｍから４００ｎｍまでである。
【０００４】
人間の網膜は多数の層を含む。眼に入るいずれの光にもさらされる最初のものから最も深いものまで順に列記されるこれらの層は以下のものを含む。
１）神経繊維層
２）神経節細胞
３）内網状層
４）両極および水平細胞
５）外網状層
６）光受容体（捍体および錐体）
７）網膜色素上皮（ＲＰＥ）
８）ブルック膜
９）脈絡膜
【０００５】
光が眼の光受容体細胞（捍体および錐体）によって吸収されるとき、細胞は退色し、回復するまで感受性が弱くなる。この回復過程は代謝過程であり、「視覚サイクル」と呼ばれる。青色光の吸収はこの過程を早まって逆転させることが示された。この早まった逆転は、酸化損傷の危険を増加させ、網膜に色素リポフスチンの増大をもたらすと考えられる。この増大は網膜色素上皮（ＲＰＥ）層で生じる。ドルーゼンと呼ばれる細胞外物質の集合体が過剰量のリポフスチンのためにＲＰＥ層に形成されると考えられる。ドルーゼンは、ＲＰＥ層が光受容体に適切な栄養を供給するのを妨害するか阻止し、それがこれらの細胞の損傷または死さえももたらす。リポフスチンが大量に青色光を吸収する場合、それは有毒になり、その結果、ＲＰＥ細胞のさらなる損傷および／または死を引き起こすことがこの過程をさらに複雑にするように見える。
【０００６】
照明および視覚医療産業は、ＵＶＡおよびＵＶＢ放射への人間の視覚被爆に関する基準を有する。意外にも、そのような基準は青色光に関して設けられていない。例えば、今日利用可能な一般的な蛍光灯では、ガラスの封体部は紫外線光をほとんど阻止するが、青色光はほとんど減衰なしで透過する。場合によっては、封体部はスペクトルの青色領域の透過を増強するように設計される。
【０００７】
青色阻止をある程度まで備える眼科用システムが知られている。しかし、そのようなシステムに関連する欠点がある。例えば、それらは、青色阻止によってレンズに生成される黄色または琥珀色の色調のために美容上魅力がない傾向がある。より具体的には、青色阻止のための１つの一般技法はＢＰＩ  Ｆｉｌｔｅｒ  Ｖｉｓｉｏｎ  ４５０またはＢＰＩ  Ｄｉａｍｏｎｄ  Ｄｙｅ  ５００などの青色阻止着色剤でレンズを着色するかまたは染色することを含む。着色は、例えば、ある所定の期間、青色阻止染料溶液を含む加熱された着色ポット中にレンズを浸すことによって達成することができる。一般に、染料溶液は黄色または琥珀色を有し、したがってレンズに黄色または琥珀色の色調を付与する。多くの人々にとって、この黄色または琥珀色の色調の外観は美容上望ましくないことがある。さらに、この色調はレンズ使用者の正常な色知覚を妨げ、例えば、交通信号灯または標識の色を正確に知覚するのを困難にすることがある。
【０００８】
青色阻止に関する黄変効果を補償するために努力がなされている。例えば、青色阻止レンズは黄変効果を相殺するために、青色、赤色、または緑色の染料などの追加の染料で処理された。この処理により、追加の染料は最初の青色阻止染料と混合するようになる。しかし、この技法は青色阻止レンズの黄色を低減することはできるが、青色光スペクトルをより多く通過させることにより青色阻止の有効性も低減する。さらに、この技法は青色光波長以外の光波長の全体的透過を低減することがある。その結果として、この好ましくない低減はレンズ使用者に視力の低下をもたらす。
【特許文献１】米国特許第６９８４０３８号明細書
【発明の開示】
【発明が解決しようとする課題】
【０００９】
前述を考慮すると、許容できる色の美容、使用者にとって許容できる色知覚、および許容できるレベルの青色光波長以外の波長の光透過を可能にしながら、許容できるレベルの青色光防護をもつ青色阻止を行う眼科用レンズが緊急に必要である。
【課題を解決するための手段】
【００１０】
本発明の実施形態は、効果的な青色阻止を行い、同時に美容上魅力的な製品、使用者にとって正常なまたは許容できる色知覚、および良好な視力のための高レベルの透過光を与える眼科用システムに関する。
【００１１】
より具体的には、本発明の実施形態は色平衡化と組み合わせて効果的な青色阻止を行うことができる。本明細書で使用される「色平衡化（ｃｏｌｏｒ  ｂａｌａｎｃｉｎｇ）」または「色平衡された（ｃｏｌｏｒ  ｂａｌａｎｃｅｄ）」は、美容上許容できる結果を生成し、同時に青色阻止の有効性を低減することがないように、黄色もしくは琥珀色または青色阻止に関する他の好ましくない影響が低減され、相殺され、中和され、またはさもなければ補償されることを意味する。例えば、４５０ｎｍまたはその近くの波長は強度が阻止または低減され得る。特に、例えば、約４４０ｎｍから約４６０ｎｍの間の波長は強度が阻止または低減され得る。さらに、阻止されない波長の透過は、高レベル、例えば少なくとも８５％のままであり得る。さらに、外部観察者にとって、眼科用システムは透明またはほとんど透明に見えるであろう。システム使用者にとって、色知覚は正常または許容可能であり得る。
【００１２】
本発明の実施形態による眼科用システムは色平衡化構成要素よりも後に青色阻止構成要素を含むことができる。青色阻止構成要素または色平衡化構成要素のいずれかはレンズなどの眼科用構成要素であるかまたはそれの一部を形成することができる。他の実施形態では、後部青色阻止構成要素および前部色平衡化構成要素は、眼科用レンズの１つまたは複数の表面の上の、またはそれに隣接する、またはそれの近くの別個の層とすることができる。青色阻止構成要素は色平衡化構成要素よりも後ろにあるので、青色阻止構成要素は常に使用者に対して向けられることになり、その結果、入射光は最初に色平衡化構成要素に当たり、その後、青色阻止構成要素を通過して使用者の眼によって受け取られる。色平衡化構成要素は後部青色阻止構成要素の黄色または琥珀色の色調を低減または中和して美容上許容できる外観を生成することができる。例えば、外部観察者にとって、眼科用システムは透明またはほとんど透明に見えるであろう。システム使用者にとって、色知覚は正常または許容可能であり得る。さらに青色阻止および色平衡化の色調は混合されないので、青色光スペクトルの波長は強度において阻止または低減することができ、眼科用システムの入射光の透過強度は阻止されない波長に対して少なくとも８５％とすることができる。
【００１３】
前述のように、青色阻止のための技法が知られている。青色光波長を阻止する既知の技法は、吸収、反射、干渉、またはそれの任意の組合せを含む。前述のように、一技法によれば、レンズは、適切な比率または濃度で、ＢＰＩ  Ｆｉｌｔｅｒ  Ｖｉｓｉｏｎ  ４５０またはＢＰＩ  Ｄｉａｍｏｎｄ  Ｄｙｅ  ５００などの青色阻止着色剤で着色／染色することができる。着色は、例えば、ある所定の期間、青色阻止染料溶液を含む加熱された着色ポット中にレンズを浸すことによって達成することができる。別の技法によれば、フィルタが青色阻止に使用される。フィルタは、例えば、青色光波長の吸収および／またはそれの反射および／またはそれとの干渉を示す有機または無機の化合物を含むことができる。フィルタは、有機および／または無機物質の多数の薄い層または被覆を含むことができる。各層は、個別または他の層との併用のいずれかで、青色光波長を有する光を吸収するか、それを反射するか、それと干渉する性質を有することができる。ルゲートノッチフィルタは青色阻止フィルタの一例である。ルゲートフィルタは、高い値と低い値との間で屈折率が連続的に変動する無機誘電体の単一の薄膜である。異なる屈折率の２つの材料（例えばＳｉＯ２およびＴｉＯ２）の同時堆積によって製作されたルゲートフィルタは、波長阻止について非常によく規定されたストップバンドを有し、バンドの外側で減衰が全く少ないことが知られている。フィルタの構成パラメータ（変動周期、屈折率変調、屈折率変動の数）は、フィルタの性能パラメータ（ストップバンドの中心、ストップバンドの幅、バンド内の透過）を決定する。ルゲートフィルタは、例えば、参照により本明細書に完全に組み込まれる特許文献１（米国特許第６９８４０３８号明細書）に、より詳細に開示されている。青色阻止のための別の技法は多層誘電体スタックの使用である。多層誘電体スタックは、交互の高い屈折率材料と低い屈折率材料の別々の層を堆積させることによって製作される。ルゲートフィルタと同様に、個々の層の厚さ、個々の層の屈折率、および層反復の数などの設計パラメータが多層誘電体スタックの性能パラメータを決定する。
【００１４】
本発明の実施形態による色平衡化は、例えば、色平衡化構成要素に適切な比率もしくは濃度の青色の着色／染色を、または赤色および緑色の着色／染色の適切な組合せを付与することを含むことができ、その結果、外部観察者によって見られるとき眼科用システムは全体として美容上許容できる外観を有する。例えば、眼科用システムは全体として透明またはほとんど透明に見えるであろう。
【発明を実施するための最良の形態】
【００１５】
図１Ａは、本発明による眼科用システムの１つの可能な実施形態を示す。システム１００は後部青色阻止構成要素１０１および前部色平衡化構成要素１０２を含むことができる。システム１００では、後部青色阻止構成要素１０１は、単一焦点レンズ、ウェハ、または光学プリフォームなどの眼科用構成要素であるかまたはそれを含むことができる。単一焦点レンズ、ウェハ、または光学プリフォームは青色阻止を行うために着色または染色することができる。前部色平衡化構成要素１０２は、既知の技法によって単一焦点レンズ、ウェハ、または光学プリフォームに適用された表面キャスト層を含むことができる。例えば、表面キャスト層は、可視もしくはＵＶ光またはその２つの組合せを使用して単一焦点レンズ、ウェハ、または光学プリフォームに付着または接合することができる。
【００１６】
表面キャスト層は、単一焦点レンズ、ウェハ、または光学プリフォームの凸面側に形成することができる。単一焦点レンズ、ウェハ、または光学プリフォームは青色阻止を行うために着色または染色されているので、それは美容上望ましくない黄色または琥珀色を有することがある。したがって、表面キャスト層は、例えば、適切な比率の青色の着色／染色で、または赤色および緑色の着色／染色の適切な組合せで着色することができる。
【００１７】
青色阻止を行うように既に処理された単一焦点レンズ、ウェハ、または光学プリフォームに表面キャスト層を適用した後、表面キャスト層を色平衡化添加剤で処理することができる。例えば、凸面表面上に表面キャスト層をもつ青色阻止単一焦点レンズ、ウェハ、または光学プリフォームは、溶液中に適切な比率および濃度の色平衡化染料を有する加熱された着色ポット中に浸すことができる。表面キャスト層は色平衡化染料を溶液から吸収することになる。青色阻止単一焦点レンズ、ウェハ、または光学プリフォームが色平衡化染料を少しも吸収しないように、凹面表面は、染料レジスト、例えばテープ、ワックス、または他の被覆でマスクするか密閉することができる。これが図２に示され、この図は単一焦点レンズ、ウェハ、または光学プリフォーム１０１の凹面表面上に染料レジスト２０１をもつ眼科用システム１００を示す。単一焦点レンズ、ウェハ、または光学プリフォームの縁部は、それらが美容上色調整された状態になるように被覆なしのままにすることができる。これは厚い縁部を有する負焦点のレンズにとって重要となることがある。
【００１８】
図１Ｂは、本発明による眼科用システムの別の可能な実施形態を示す。システム１５０では、前部色平衡化構成要素１０４が、単一焦点もしくは多焦点のレンズ、ウェハ、または光学プリフォームなどの眼科用構成要素であるかまたはそれを含むことができる。後部青色阻止構成要素１０３は表面キャスト層とすることができる。この組合せを行うために、色平衡化単一焦点レンズ、ウェハ、または光学プリフォームの凸面表面は、この組合せが青色阻止染料溶液を含む加熱された着色ポットに浸されるときそれが青色阻止染料を吸収しないように前述のような染料レジストでマスクすることができる。一方、露出された表面キャスト層は青色阻止染料を吸収することになる。
【００１９】
表面キャスト層は、単一焦点でなく多焦点のレンズ、ウェハ、または光学プリフォームと組み合わせて使用することができることを理解されたい。さらに、表面キャスト層を使用して単一焦点レンズ、ウェハ、または光学プリフォームに多焦点能力を含む能力を加え、したがって、単一焦点レンズ、ウェハ、または光学プリフォームを直線または累進タイプの増加分をもつ多焦点レンズに変換することができる。当然、表面キャスト層は、単一焦点レンズ、ウェハ、または光学プリフォームに能力をほとんど加えないかまたはそれを加えないように設計することもできる。
【００２０】
図３は本発明による別の実施形態を示す。図３では、青色阻止および色平衡化機能が眼科用構成要素に集積されている。より具体的には、眼科用レンズ３００において、眼科用レンズ３００の後部領域にある他の点では透明またはほとんど透明な眼科用構成要素３０１への着色浸透の深さに対応する部分３０３が青色阻止部となることができる。さらに、眼科用レンズ３００の前面または前部領域にある他の点では透明またはほとんど透明な眼科用構成要素３０１への着色浸透の深さに対応する部分３０２が色平衡化部となることができる。図３の実施形態は以下のように生成することができる。眼科用構成要素３０１は、例えば、最初に透明またはほとんど透明な単一焦点もしくは多焦点のレンズ、ウェハ、または光学プリフォームとすることができる。透明またはほとんど透明な単一焦点もしくは多焦点のレンズ、ウェハ、または光学プリフォームは青色阻止着色剤で着色することができ、一方、前面の凸面表面は、例えば前述のような染料レジストでマスクするかまたは被覆することによって非吸収性にされる。その結果、透明またはほとんど透明な単一焦点もしくは多焦点のレンズ、ウェハ、または光学プリフォーム３０１の後部凹面表面で始まり、内部に延び、青色阻止機能を有する部分３０３は着色浸透によって生成することができる。次に、前面の凸面表面の吸収防止用被覆は除去することができる。次に、吸収防止用被覆を凹面表面に適用することができ、単一焦点もしくは多焦点のレンズ、ウェハ、または光学プリフォームの前面の凸面表面および周辺縁部を色平衡化のために着色することができる（例えば、加熱された着色ポットへの浸漬によって）。色平衡化染料は、周辺の縁部と、前面の凸面表面で始まり、内部に延びる、以前の被覆のため着色されないままであった部分３０２とによって吸収されることになる。前述の過程の順序を逆にすることができ、すなわち、凹面表面が最初にマスクされ、一方、残りの部分が色平衡化のために着色される。次に、被覆を除去することができ、マスキングによって着色されずに残された凹面領域の深さまたは厚さを青色阻止のために着色することができる。
【００２１】
次に図４を参照すると、本発明の他の実施形態では、眼科用システム４００は金型内被覆を使用して形成することができる。より具体的には、適切な青色阻止着色剤、染料、または他の添加剤で染色／着色された単一焦点もしくは多焦点のレンズ、ウェハ、または光学プリフォームなどの眼科用構成要素４０１は、着色された金型内被覆４０３を使用して表面キャスティングを介して色平衡化することができる。適切なレベルの色平衡化染料および／または色平衡化染料の混合物を含む金型内被覆４０３を凸面表面モールド（すなわち、被覆４０３を眼科用構成要素４０１の凸面表面に適用するためのモールド、図示せず）に適用することができる。被覆４０３と眼科用構成要素４０１との間に無色のモノマー４０２を充填し硬化することができる。モノマー４０２を硬化させるプロセスにより、色平衡化金型内被覆はそれ自体眼科用構成要素４０１の凸面表面に移送されることになる。その結果は色平衡化表面被覆をもった青色阻止眼科用システムとなる。金型内被覆は、例えば反射防止被覆または従来のハード被覆となることができる。
【００２２】
次に図５を参照すると、本発明のさらに他の実施形態では、眼科用システム５００は２つの眼科用構成要素、すなわち一方の青色阻止構成要素および他方の色平衡化構成要素を含むことができる。例えば、第１の眼科用構成要素５０１は、青色阻止の所望のレベルを達成するために適切な青色阻止着色剤で染色／着色された裏面単一焦点もしくは凹面表面多焦点のレンズ、ウェハ、または光学プリフォームとすることができる。第２の眼科用構成要素５０３は、例えばＵＶまたは可視硬化接着剤５０２を使用して裏面単一焦点もしくは凹面表面多焦点のレンズ、ウェハ、または光学プリフォームに接合または付着された前面単一焦点もしくは凸面表面多焦点のレンズ、ウェハ、または光学プリフォームとすることができる。前面単一焦点もしくは凸面表面多焦点のレンズ、ウェハ、または光学プリフォームは、それを裏面単一焦点もしくは凹面表面多焦点のレンズ、ウェハ、または光学プリフォームに接合する前または接合した後のいずれかに色平衡化を行うことができる。後の場合、前面単一焦点もしくは凸面表面多焦点のレンズ、ウェハ、または光学プリフォームは、例えば、前述の技法によって色平衡化を行うことができる。例えば、裏面単一焦点もしくは凹面表面多焦点のレンズ、ウェハ、または光学プリフォームは、それが色平衡化染料を吸収しないように染料レジストでマスクまたは被覆することができる。次に、接合された裏面部分および前面部分は一緒に色平衡化染料の適切な溶液を含む加熱された着色ポット中に置かれ、それにより前面部分は色平衡化染料を吸収することができる。
【００２３】
本発明の前述の実施形態のうちのいずれかまたは本明細書に明確に開示されていない実施形態は、１つまたは複数の反射防止（ＡＲ）構成要素と組み合わせることができる。これが、例として、図１Ａおよび１Ｂに示された眼科用レンズ１００および１５０用に図６に示される。図６において、第１のＡＲ構成要素６０１、例えば被覆が後部青色阻止構成要素１０１の凹面表面に適用され、第２のＡＲ構成要素６０２が色平衡化構成要素１０２の凸面表面に適用される。同様に、第１のＡＲ構成要素６０１が後部青色阻止構成要素１０３の凹面表面に適用され、第２のＡＲ構成要素６０２が色平衡化構成要素１０４の凸面表面に適用される。
【００２４】
本発明のさらなる実施形態が図７Ａ〜７Ｃに示される。図７Ａでは、眼科用システム７００は、透明またはほとんど透明な眼科用レンズ７０２の前部表面の上にまたはそれに隣接して、隣接するが別個の被覆または層として形成される青色阻止構成要素７０３および色平衡化構成要素７０４を含む。青色阻止構成要素７０３は色平衡化構成要素７０４よりも後ろにある。透明またはほとんど透明な眼科用レンズの後部表面の上にまたはそれに隣接して、ＡＲ被覆または層７０１を形成することができる。別のＡＲ被覆または層７０５は、色平衡化層７０４の前部表面の上にまたはそれに隣接して形成することができる。
【００２５】
図７Ｂでは、青色阻止構成要素７０３および色平衡化構成要素７０４は、透明またはほとんど透明な眼科用レンズ７０２の後部表面の上にまたはそれに隣接して配置される。やはり、青色阻止構成要素７０３は色平衡化構成要素７０４よりも後ろにある。ＡＲ構成要素７０１は、青色阻止構成要素７０３の後部表面の上にまたはそれに隣接して形成することができる。別のＡＲ構成要素７０５は、透明またはほとんど透明な眼科用レンズ７０２の前部表面の上にまたはそれに隣接して形成することができる。
【００２６】
図７Ｃでは、青色阻止構成要素７０３および色平衡化構成要素７０４は、それぞれ透明な眼科用レンズ７０２の後部表面および前部表面の上にまたはそれに隣接して配置される。やはり、青色阻止構成要素７０３は色平衡化構成要素７０４よりも後ろにある。ＡＲ構成要素７０１は、青色阻止構成要素７０３の後部表面の上にまたはそれに隣接して形成することができ、別のＡＲ構成要素７０５は色平衡化構成要素７０４の前部表面の上にまたはそれに隣接して形成することができる。
【００２７】
図８Ａおよび８Ｂは、本発明による眼科用システムの別の実施形態を示す。図８Ａおよび８Ｂのシステム８００では、青色光波長を阻止することと、色平衡化を行うこととの両方の機能を単一構成要素８０３に組み合わせることができる。例えば、組み合わされた機能性構成要素は、青色光波長を阻止し、いくらかの緑色の波長および赤色の波長もまた反射し、それにより、青色を中和し、レンズの目立つ色の出現を除去することができる。組み合わされた機能性構成要素８０３は、透明な眼科用レンズ８０２の前部表面または後部表面のいずれかの上にまたはそれに隣接して配置することができる。本実施形態は単一の青色阻止／色平衡化構成要素だけに関係するが、それは、本発明によれば、まず色平衡化を行い、次に青色光を阻止するように作用することが想像される。眼科用レンズ８００は、透明な眼科用レンズ８０２の前部表面または後部表面のいずれかの上のまたはそれに隣接するＡＲ構成要素８０１をさらに含むことができる。
【００２８】
前述のように、フィルタは青色阻止のための一技法である。したがって、説明した青色阻止構成要素のいずれも青色阻止フィルタであるか、それを含むか、またはそれと組み合わせることができる。そのようなフィルタは、ルゲートフィルタ、干渉フィルタ、バンドパスフィルタ、バンドブロックフィルタ、ノッチフィルタ、またはダイクロイックフィルタを含むことができる。
【００２９】
本発明の他の実施形態では、前述で開示した１つまたは複数の青色阻止技法を他の青色阻止技法とともに使用することができる。単なる例として、１つまたは複数のレンズ構成要素が、青色光を効果的に阻止するために染色／着色およびルゲートノッチフィルタの両方を利用することができる。
【００３０】
前述で開示した構造および技法のどれも、４５０ｎｍまたはその近くで青色光波長の阻止を行うために、本発明による眼科用システムで使用することができる。例えば、いくつかの実施形態では、阻止される青色光の波長は、４５０ｎｍを中心とした所定の範囲内にあることができる。いくつかの実施形態では、その範囲は４５０ｎｍ±（プラスまたはマイナス）約１０ｎｍ（すなわち約４４０ｎｍと約４６０ｎｍとの間）に広がっている。他の実施形態では、その範囲は４５０ｎｍ±約２０ｎｍ（すなわち約４３０ｎｍと約４７０ｎｍとの間）に広がっている。さらに他の実施形態では、その範囲は４５０ｎｍ±約３０ｎｍ（すなわち約４２０ｎｍと約４８０ｎｍとの間）に広がっている。さらに他の実施形態では、その範囲は４５０ｎｍ±約４０ｎｍ（すなわち約４１０ｎｍと約４９０ｎｍとの間）に広がっている。さらに他の実施形態では、その範囲は４５０ｎｍ±約５０ｎｍ（すなわち約４００ｎｍと約５００ｎｍとの間）に広がっている。いくつかの実施形態では、眼科用システムは、前述で規定された範囲内の青色波長の透過を入射波長の実質的に９０％に制限することができる。他の実施形態では、眼科用システムは、前述で規定された範囲内の青色波長の透過を入射波長の実質的に８０％に制限することができる。他の実施形態では、眼科用システムは、前述で規定された範囲内の青色波長の透過を入射波長の実質的に７０％に制限することができる。他の実施形態では、眼科用システムは、前述で規定された範囲内の青色波長の透過を入射波長の実質的に６０％に制限することができる。他の実施形態では、眼科用システムは、前述で規定された範囲内の青色波長の透過を入射波長の実質的に５０％に制限することができる。他の実施形態では、眼科用システムは、前述で規定された範囲内の青色波長の透過を入射波長の実質的に４０％に制限することができる。さらに他の実施形態では、眼科用システムは、前述で規定された範囲内の青色波長の透過を入射波長の実質的に３０％に制限することができる。さらに他の実施形態では、眼科用システムは、前述で規定された範囲内の青色波長の透過を入射波長の実質的に２０％に制限することができる。さらに他の実施形態では、眼科用システムは、前述で規定された範囲内の青色波長の透過を入射波長の実質的に１０％に制限することができる。さらに他の実施形態では、眼科用システムは、前述で規定された範囲内の青色波長の透過を入射波長の実質的に５％に制限することができる。さらに他の実施形態では、眼科用システムは、前述で規定された範囲内の青色波長の透過を入射波長の実質的に１％に制限することができる。さらに他の実施形態では、眼科用システムは、前述で規定された範囲内の青色波長の透過を入射波長の実質的に０％に制限することができる。別の方法で述べれば、前述で指定された範囲の波長の電磁スペクトルの眼科用システムによる減衰は、少なくとも１０％、少なくとも２０％、少なくとも３０％、少なくとも４０％、少なくとも５０％、少なくとも６０％、少なくとも７０％、少なくとも８０％、少なくとも９０％、少なくとも９５％、少なくとも９９％、または実質的に１００％とすることができる。
【００３１】
同時に、前述のように青色光の波長が選択的に阻止されるので、電磁スペクトルの他の部分の少なくとも８５％、および他の実施形態では少なくとも９５％が眼科用システムによって透過され得る。別の方法で述べれば、青色光スペクトルの外の波長、例えば４５０ｎｍまたはその近くの波長以外の波長の電磁スペクトルの眼科用システムによる減衰は、１５％以下、および他の実施形態では５％以下とすることができる。
【００３２】
さらに、本発明の実施形態は、ＵＶＡおよびＵＶＢのスペクトルバンドをもつ紫外線放射ならびに７００ｎｍよりも大きい波長をもつ赤外線放射をさらに阻止することができる。
【００３３】
前述の開示された眼科用システムのいずれも、眼鏡、サングラス、保護眼鏡、またはコンタクトレンズなどの外部的に着用されるアイウェアを含むアイウェアの物品に組み込むことができる。そのようなアイウェアでは、システムの青色阻止構成要素は色平衡化構成要素よりも後ろにあるので、アイウェアが着用されるとき、青色阻止構成要素は常に色平衡化構成要素よりも眼の近くにあることになる。眼科用システムは、外科的に埋込み可能な眼内眼レンズのような製造の物品でも使用することができる。
【００３４】
本発明のいくつかの実施形態が本明細書で具体的に図示および／または説明されている。しかし、本発明の変形および変更が、本発明の趣旨および意図した範囲から逸脱することなく、前述の教示によっておよび添付の特許請求の範囲内に含まれることが理解されよう。
【図面の簡単な説明】
【００３５】
【図１Ａ】本発明の実施形態による後部青色阻止構成要素および前部色平衡化構成要素を含む眼科用システムの例を示す図である。
【図１Ｂ】本発明の実施形態による後部青色阻止構成要素および前部色平衡化構成要素を含む眼科用システムの例を示す図である。
【図２】本発明の実施形態を形成するために染料レジストを使用する例を示す図である。
【図３】青色阻止構成要素および色平衡化構成要素が透明またはほとんど透明な眼科用レンズに集積される本発明の実施形態を示す図である。
【図４】金型内被覆を使用して本発明の実施形態を形成することを示す図である。
【図５】本発明の実施形態を形成するために２つの眼科用構成要素を接合することを示す図である。
【図６】反射防止被覆を含む本発明の実施形態を示す図である。
【図７Ａ】本発明の実施形態による青色阻止構成要素、色平衡化構成要素、および本眼科用構成要素の組合せを示す図である。
【図７Ｂ】本発明の実施形態による青色阻止構成要素、色平衡化構成要素、および本眼科用構成要素の組合せを示す図である。
【図７Ｃ】本発明の実施形態による青色阻止構成要素、色平衡化構成要素、および本眼科用構成要素の組合せを示す図である。
【図８Ａ】本発明の実施形態による多機能青色阻止および色平衡化構成要素を含む眼科用システムの例を示す図である。
【図８Ｂ】本発明の実施形態による多機能青色阻止および色平衡化構成要素を含む眼科用システムの例を示す図である。
【符号の説明】
【００３６】
１００  システム
１０１  後部青色阻止構成要素
１０２  前部色平衡化構成要素
１０３  後部青色阻止構成要素
１０４  前部色平衡化構成要素
１５０  システム
２０１  染料レジスト
３００  眼科用レンズ
３０１  眼科用構成要素
３０２  部分
３０３  部分
４００  眼科用システム
４０１  眼科用構成要素
４０２  モノマー
４０３  金型内被覆
５００  眼科用システム
５０１  眼科用構成要素
５０２  ＵＶまたは可視硬化接着剤
５０３  眼科用構成要素
６０１  ＡＲ構成要素
６０２  ＡＲ構成要素
７００  眼科用システム
７０１  ＡＲ被覆または層
７０２  眼科用レンズ
７０３  青色阻止構成要素
７０４  色平衡化構成要素
７０５  ＡＲ被覆または層
８００  システム
８０１  ＡＲ構成要素
８０２  眼科用レンズ
８０３  単一構成要素
【図１Ｂ】
2009530687.tif 000003
【図２】
2009530687.tif 000004
【図３】
2009530687.tif 000005
【図４】
2009530687.tif 000006
【図５】
2009530687.tif 000007
【図６】
2009530687.tif 000008
【図７Ａ】
2009530687.tif 000009
【図７Ｂ】
2009530687.tif 000010
【図７Ｃ】
2009530687.tif 000011
【図８Ａ】
2009530687.tif 000012
【図８Ｂ】
2009530687.tif 000013
【図１Ａ】
2009530687.tif 000014
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
色平衡化構成要素よりも後ろに青色阻止構成要素を含む眼科用システム。
【請求項２】
眼科用システムを含むアイウェアの物品であって、前記眼科用システムが、
約４００ｎｍと約５００ｎｍとの間の電磁スペクトルの波長を阻止するための青色阻止構成要素であって、眼科用レンズの上の、またはその近くの、またはそれに隣接する眼科用レンズもしくは層の一方である青色阻止構成要素と、
眼科用レンズの上の、またはその近くの、またはそれに隣接する眼科用レンズもしくは層の一方である色平衡化構成要素と
を含み、
前記色平衡化構成要素が前記眼科用システムを透明またはほとんど透明に見せるように構成され、前記青色阻止構成要素が前記色平衡化構成要素よりも後ろにあり、前記眼科用システムが約４００ｎｍと約５００ｎｍとの間の外の電磁スペクトルの波長の少なくとも８５％を透過するアイウェアの物品。
【請求項３】
少なくとも８５％以上の可視光線の透過を有する眼科用レンズである眼科用システムであって、前記眼科用レンズが色平衡化構成要素を含み、前記眼科用レンズが前記青色光スペクトル中の選択された波長を阻止する青色阻止構成要素を含む眼科用システム。
【請求項４】
前記青色阻止構成要素および前記色平衡化構成要素の少なくとも一方が、眼科用構成要素、眼科用レンズ、ウェハ、または光学プリフォームである、請求項１から３のいずれか１項に記載の眼科用システム。
【請求項５】
前記青色阻止構成要素および前記色平衡化構成要素のうちの少なくとも一方が表面キャスト層である、請求項４に記載の眼科用システム。
【請求項６】
前記青色阻止構成要素および前記色平衡化構成要素のうちの少なくとも一方が、他の点では透明またはほとんど透明な眼科用レンズの一部である、請求項１から３のいずれか１項に記載の眼科用システム。
【請求項７】
前記青色阻止構成要素および前記色平衡化構成要素が、眼科用構成要素の上のまたはそれに隣接する別個の層である、請求項１から３のいずれか１項に記載の眼科用システム。
【請求項８】
約４４０ｎｍから約４６０ｎｍまでの波長の電磁スペクトルを少なくとも１０％だけ減衰させる、請求項１から３のいずれか１項に記載の眼科用システム。
【請求項９】
約４４０ｎｍから約４６０ｎｍまでの波長の前記電磁スペクトルを少なくとも５０％だけ減衰させる、請求項１から３のいずれか１項に記載の眼科用システム。
【請求項１０】
約４４０ｎｍから約４６０ｎｍまでの波長の前記電磁スペクトルを少なくとも９５％だけ減衰させる、請求項１から３のいずれか１項に記載の眼科用システム。
【請求項１１】
前記青色光スペクトルの外の電磁スペクトルの波長の少なくとも９５％を透過する、請求項１から３のいずれか１項に記載の眼科用システム。
【請求項１２】
ＵＶＡおよびＵＶＢスペクトルバンドの紫外線放射を阻止する、請求項１から３のいずれか１項に記載の眼科用システム。
【請求項１３】
７００ｎｍを超える波長をもつ赤外線放射を阻止する、請求項１から３のいずれか１項に記載の眼科用システム。
【請求項１４】
前記青色阻止構成要素が、ルゲートフィルタ、干渉フィルタ、バンドパスフィルタ、バンドブロックフィルタ、ノッチフィルタ、ダイクロイックフィルタ、または多層誘電体スタックを含む、請求項１から３のいずれか１項に記載の眼科用システム。
【請求項１５】
前記青色阻止構成要素がバンドブロックフィルタを含む、請求項１４に記載の眼科用システム。
【国際調査報告】
2009530687.tif 000015